(57)【要約】    【課題】  スーパー等の店内において、冷ケース以外の売り場で商品の陳列と冷却を同時に行うと共に、陳列形態を種々変更出来る商品陳列台を提供することにある。    【解決手段】  垂直部材１１１、と水平部材１１２からなる段差を１段以上有する階段状の陳列面ａと、陳列面ａの裏面に形成される陳列面ａを天板とする密封容器部１５とを備え、該密封容器部１５には陳列面ａを冷却する保冷材が充填されている保冷材入り商品陳列台１０。【選択図】        図１
2005211371.tif 000002
【特許請求の範囲】
【請求項１】
垂直部材と水平部材からなる段差を１段以上有する階段状の陳列面と、該陳列面の裏面に形成される該陳列面を天板とする密封容器部を備え、該密封容器部には該陳列面を冷却する保冷材が充填されていることを特徴とする保冷材入り商品陳列台。
【請求項２】
前記密封容器部は、該階段状の陳列面を天板とし、該階段状の陳列面形状に沿った底板、及び４方の側板から形成されるほぼ均一な厚みの空間を形成することを特徴とする請求項１記載の保冷材入り商品陳列台。
【請求項３】
ひな壇状の設置形態における平面視形態が、縦長形状である特徴とする請求項１又は２記載の保冷材入り商品陳列台。
【請求項４】
有底かつ上方開放容器に設置されて用いることを特徴とする請求項１〜３のいずれか１項に記載の保冷材入り商品陳列台。
【請求項５】
有底かつ上方開放容器に陳列面が略水平となるひな壇状に設置されて用いることを特徴とする請求項１〜３のいずれか１項に記載の保冷材入り商品陳列台。
【請求項６】
有底かつ上方開放容器に陳列面が傾斜面となるように設置されて用いることを特徴とする請求項１〜３のいずれか１項に記載の保冷材入り商品陳列台。
【請求項７】
有底かつ上方開放容器に、２台以上横並びに設置されて用いることを特徴とする請求項１〜３のいずれか１項に記載の保冷材入り商品陳列台。
【発明の詳細な説明】
【技術分野】
【０００１】
本発明は、主にスーパー、百貨店、専門店、コンビニエンスストアー等の店内
の冷ケース以外の売り場で商品の陳列と冷却を同時に行うと共に、陳列形態を種々変更出来る保冷材入り商品陳列台に関するものである。
【背景技術】
【０００２】
従来、スーパー、百貨店、専門店、コンビニエンスストアー等の店内の冷ケース以外の売り場において、商品の陳列と商品の冷却を同時に行う場合、バットと呼ばれるステンレスケースなどに氷を入れ、その上に商品を載せて陳列と同時に冷やしていた。
【０００３】
この場合、商品の陳列形態は一通りであり、陳列の演出もできない。また、解けた氷の水は排出しなければならないが、人手で行うにはその重量が５ｋｇ以上に及ぶ場合があり、容易ではない。また、床に排水設備を附設するにしても、陳列位置が固定するとは限らず、また後施工である点からしても困難である。
【０００４】
特開２０００−３５４５２９号公報には、物を載置する１以上の斜面を一方向に隣接して設けて物載置面を形成し、該物載置面の前記一方向の少なくとも一端に物落下防止壁を有して表陳列面を構成し、前記表陳列面は使用に際し、前記一方向で前後逆さに使用可能であるマルチ利用陳列具が開示されている。このような商品陳列具は、種々の陳列形態が採れ陳列の演出が図れるものの、冷やす必要がある商品を陳列するには、該マルチ利用陳列具を冷ケース内に設置する必要があり、陳列場所が限定されていた。
【特許文献１】特開２０００−３５４５２９号公報（請求項１）
【発明の開示】
【発明が解決しようとする課題】
【０００５】
従って、本発明の目的は、スーパー等の店内において、冷ケース以外の売り場で商品の陳列と冷却を同時に行うと共に、陳列形態を種々変更出来る商品陳列台を提供することにある。
【課題を解決するための手段】
【０００６】
かかる状況において、本発明者らは、鋭意検討を行った結果、垂直部材と水平部材からなる段差を１段以上有する階段状の陳列面と、該陳列面の裏面に形成される密封容器部とを備え、該密封容器部に該陳列面を冷却する保冷材を充填させた保冷材入り商品陳列台物とすれば、スーパー等の店内において、冷ケース以外の売り場で商品の陳列と冷却を同時に行うことができること、有底且つ上方開放容器に設置させて陳列面を種々変更する設置形態を採れば、陳列形態を種々変更出来る趣のある演出ができることなどを見出し、本発明を完成するに至った。
【０００７】
すなわち、本発明（１）は、垂直部材と水平部材からなる段差を１段以上有する階段状の陳列面と、該陳列面の裏面に形成される該陳列面を天板とする密封容器部を備え、該密封容器部には該陳列面を冷却する保冷材が充填されている保冷材入り商品陳列台を提供するものである。
【０００８】
また、本発明（２）は、前記密封容器部は、該階段状の陳列面を天板とし、該階段状の陳列面形状に沿った底板、及び４方の側板から形成されるほぼ均一な厚みの空間を形成する前記保冷材入り商品陳列台を提供するものである。
【０００９】
また、本発明（３）は、ひな壇状の設置形態における平面視形態が、縦長形状である前記保冷材入り商品陳列台を提供するものである。
【００１０】
また、本発明（４）は、有底かつ上方開放容器に設置されて用いる前記保冷材入り商品陳列台を提供するものである。
【００１１】
また、本発明（５）は、有底かつ上方開放容器に陳列面が略水平となるひな壇状に設置されて用いる前記保冷材入り商品陳列台を提供するものである。
【００１２】
また、本発明（６）は、有底かつ上方開放容器に陳列面が傾斜面となるように設置されて用いる前記保冷材入り商品陳列台を提供するものである。
【００１３】
また、本発明（７）は、有底かつ上方開放容器に、２台以上横並びに設置されて用いる前記保冷材入り商品陳列台を提供するものである。
【発明の効果】
【００１４】
本発明の保冷材入り商品陳列台によれば、スーパー等の店内において、冷ケース以外の売り場で商品の陳列と冷却を同時に行うと共に、陳列形態を種々変更出来る。このため、店内における模様替えのバリエーションが広がり顧客吸引力を高めることができる。また、保冷材の保冷効果が低減した場合には、冷凍庫にて容易に再生できるため、保守管理が容易である。
【発明を実施するための最良の形態】
【００１５】
本発明の実施の形態における保冷材入り商品陳列台を図１を参照して説明する。図１は本実施の形態例の保冷材入り商品陳列台の斜視図であり、（Ａ）は第１の陳列形態を示し、（Ｂ）は（Ａ）を水平面内において前後１８０度反転した第２の陳列形態を示す。なお、本明細書中、「前」は顧客側を言い、図３〜図６では左側を言う。
【００１６】
図１（Ａ）で示される保冷材入り商品陳列台１０は、垂直部材１１１と水平部材１１２からなる段差を３段有する階段状の陳列面ａと、陳列面ａの裏面に形成される陳列面ａを天板とする密封容器部１５とを備える平面視で縦長形状物であって、基台１９上に水平部材１１２、１２２、１３２が水平となるひな壇形状に設置されており（以下、第１の陳列形態とも言う。）、密封容器部１５には陳列面ａを冷却する保冷材が充填されている。また、商品陳列台１０の第２の垂直部材１２１及び第３の垂直部材１１１は、その上端がそれぞれ第２の水平部材１２２及び第３の水平部材１１２より若干上に出る突出部１２３、１１３を形成しており、商品の前方への転落を防止している（図３等参照）。また、商品陳列台１０の第１の垂直部材１３１の下端は、底板１６よりやや下方に出る突出部１３３を形成しており、後述する有底上方開放容器への設置を安定させる。なお、垂直部材と平面部材からなる段差は、本例の３段に限定されず、１段、２段、あるいは４段以上であってもよい。
【００１７】
保冷材入り商品陳列台１０の密封容器部１５は、階段状の陳列面ａを天板とし、階段状の陳列面ａの形状に沿った底板１６、左側板１８、右側板１７、前側板（一の垂直部材を兼ねる）１３１及び図では表れない後側板の４つの側板から構成されるものであって、容器中ほぼ均一な厚みで階段状の空間を形成する。密封容器部１５内に形成された空間の厚みとしては、特に制限されず、陳列面の材質、大きさ、及び保冷材の使用量などにより適宜の寸法に決定すればよい。保冷材は蓄冷材とも呼ばれるもので、再生使用できる公知のゲル状物が用いられる。
【００１８】
密封容器部１５内への保冷材の充填は、保冷材入り商品陳列台１０の製造過程で行われる。すなわち、例えば垂直部材１３１が無い以外、すべての部材で構成された保冷材入り商品陳列台１０を製造し、この状態で、密封容器部１５内へ保冷材を充填する。その後、垂直部材１３１を取り付け、密封する方法が挙げられる。
【００１９】
図１（Ｂ）で示される保冷材入り商品陳列台１０は、図１（Ａ）を水平面内において前後１８０度反転したものであって、水平部材１１２、１２２、１３２が前方傾斜となる陳列面を形成している（以下、第２の陳列形態とも言う。）
【００２０】
第１の実施の形態例の保冷材入り商品陳列台１０によれば、別途の基台１９を準備するだけで、スーパー等の店内において、冷ケース以外の売り場で商品の陳列と冷却を同時に行うと共に、陳列形態を第１の陳列形態及び第２の陳列形態に変更出来る。このため、店内における模様替えのバリエーションが広がり顧客吸引力を高めることができる。
【００２１】
次に、本実施の形態例の保冷材入り商品陳列台１０の他の陳列形態を図２〜図１０を参照して説明する。図２は本例の保冷材入り商品陳列台を設置する容器の斜視図であり、図３〜図６は保冷材入り商品陳列台の容器内における設置形態を示す断面図であり、図７〜図１０は保冷材入り商品陳列台の容器内における他の設置形態を示す斜視図である。図３〜図１０に示す陳列形態は、図１に示す保冷材入り商品陳列台１０を有底プラスチック容器１４に設置する形態に係るものである。
【００２２】
有底プラスチック容器１４は、例えば図２に示すように、平板状の底板１４７、平板状で前方傾斜形状の右側板１４４及び左側板１４３、下方に屈曲部１４５を有する前側板１４２及び中間部に屈曲部１４６を有する後側板１４１からなる上方が開放された容器である。前側板１４２及び後側板１４１における屈曲部１４５、１４６は、下方板が所定の位置から外側に９０度屈曲し、更に９０度上方に屈曲して形成されるものである。後側板１４１の屈曲部１４６は、保冷材入り商品陳列台１０を容器１４に陳列面ａが水平となるひな壇状に設置した場合、あるいは陳列面ａが傾斜面となるように設置した場合、商品陳列台１０の先端部を載置する支持部となるものである。また、有底プラスチック容器１４は、商品陳列台１０を横隣接で２台設置する容積を有するものである。なお、有底プラスチック容器１４の横方向の大きさとしては、特に制限されず、１台設置、又は３台以上設置するものであってもよい。
【００２３】
有底プラスチック容器１４内に保冷材入り商品陳列台１０を設置する形態としては、陳列面ａが水平となるひな壇状に設置される形態、及び陳列面ａが傾斜面となるように設置される形態が挙げられる。陳列面ａが水平となるひな壇状に設置される形態としては、保冷材入り商品陳列台１０の垂直部材１１１及び水平部材１１２がそれぞれ垂直又は水平となるように不図示の水平台に置かれた有底プラスチック容器１４に設置する方法（図３）、及び図３の状態から、保冷材入り商品陳列台１０を水平面内で１８０度反転させ（図４に示す状態）、更に商品陳列台１０を設置した状態で有底プラスチック容器１４を水平面内で１８０度反転させ、更に有底プラスチック容器１４の後方を角度α持ち上げる方法（図５）が挙げられる。
【００２４】
また、陳列面ａが傾斜面となるように設置する形態としては、図３の状態から、保冷材入り商品陳列台１０を水平面内で１８０度反転させて設置する方法（図４）（なお、反転などの操作は実際には保冷材入り商品陳列台１０を容器１４から取り出して行う）、及び図３の状態において保冷材入り商品陳列台１０の前方端の突出部１３３を有底プラスチック容器１４の前側板１４２の上端縁１４９に立掛け、保冷材入り商品陳列台１０の第３水平部材１１２の端部を底板１４７に着くよう落とし、更に有底プラスチック容器１４を水平面内で１８０度反転させ、更に有底プラスチック容器１４の後方を角度α持ち上げる方法（図６）が挙げられる。有底プラスチック容器１４の後方を角度α持ち上げるには、所定の高さの基台に立掛けるようにして設置すればよい（不図示）。
【００２５】
保冷材入り商品陳列台１０は、有底プラスチック容器１４に横隣接で２台設置されて用いることができる。有底プラスチック容器１４に保冷材入り商品陳列台１０を横隣接で２台設置する方法としては、特に制限されず、保冷材入り商品陳列台１０を横隣接で且つ同じ陳列形態で２台設置する方法、及び保冷材入り商品陳列台１０を横隣接で且つ互いが異なる陳列形態で２台設置する方法が挙げられる。
【００２６】
保冷材入り商品陳列台１０を横隣接で且つ同じ陳列形態で２台設置する方法としては、図３の陳列形態で２台設置する方法（図７）、図４の陳列形態で２台設置する方法（図９）、図５陳列形態で２台設置する方法（図８）、及び図６の陳列形態で２台設置する方法（図１０）が挙げられる。
【００２７】
本第２の実施の形態例の保冷材入り商品陳列台１０によれば、そのまま既設の載置台に設置するか、あるいは傾斜αをつくりだす別途の基台を準備するだけで、スーパー等の店内において、冷ケース以外の売り場で商品の陳列と冷却を同時に行うと共に、陳列形態を少なくとも４種の陳列形態に変更出来る。このため、店内における模様替えのバリエーションが広がり顧客吸引力を高めることができる。また、陳列商品の周りは、有底プラスチック容器１４の側板で囲まれているため、保冷効果を高めることができる。
【図面の簡単な説明】
【００２８】
【図１】第１の実施の形態例の保冷材入り商品陳列台の斜視図であり、（Ａ）は第１の陳列形態を示し、（Ｂ）は（Ａ）を水平面内において前後１８０度反転した第２の陳列形態を示す。
【図２】第２の保冷材入り商品陳列台を設置する容器の斜視図である。
【図３】保冷材入り商品陳列台の容器内における設置形態を示す断面図である。
【図４】保冷材入り商品陳列台の容器内における他の設置形態を示す断面図である。
【図５】保冷材入り商品陳列台の容器内における他の設置形態を示す断面図である。
【図６】保冷材入り商品陳列台の容器内における他の設置形態を示す断面図である。
【図７】保冷材入り商品陳列台の容器内における他の設置形態を示す斜視図である。
【図８】保冷材入り商品陳列台の容器内における他の設置形態を示す斜視図である。
【図９】保冷材入り商品陳列台の容器内における他の設置形態を示す斜視図である。
【図１０】保冷材入り商品陳列台の容器内における他の設置形態を示す斜視図である。
【符号の説明】
【００２９】
１０      保冷材入り商品陳列台
１１、１２、１３    段差
１４      有底プラスチック容器
１５      密封容器部
１６      底板
１７      右側板
１８      左側板
１９      基台
１１１、１２１、１３１      垂直部材
１１２、１２２、１３２      水平部材
１２３、１１３              突出部
ａ                          陳列面
【図１】
2005211371.tif 000003
【図２】
2005211371.tif 000004
【図３】
2005211371.tif 000005
【図４】
2005211371.tif 000006
【図５】
2005211371.tif 000007
【図６】
2005211371.tif 000008
【図７】
2005211371.tif 000009
【図８】
2005211371.tif 000010
【図９】
2005211371.tif 000011
【図１０】
2005211371.tif 000012